(57)【要約】【課題】使用勝手の良い暖房器の制御装置を提供する。【解決手段】バーナ２の運転と停止を指示する運転スイッチ１６と、暖房器本体１近傍の人の存在及び人の動作状態を検知する人感センサ２３と、前記バーナ２の運転時間をカウントして所定時間後にバーナの消火を指示する安全タイマ手段２０と、この安全タイマ手段２０のカウント時間をリセットして改めて所定時間のカウントを開始を指示するリセットスイッチ２２と、前記安全タイマ手段２０が所定時間をカウントする一定時間前にリセットスイッチ２２の操作を促す報知を行う報知手段２１とを備えたもので、前記報知手段２１が報知を行う一定時間前とこの一定時間前の更に一定時間前との間に、人感センサ２３が人の動作を検知した時には、報知手段２１にリセットスイッチ２２の操作を促す報知を行わせるリセット促し手段２４を設けたものであるから、極めて使用勝手が良いものである。【選択図】  図３
2012251684.tif 000002
【特許請求の範囲】
【請求項１】
バーナの運転と停止を指示する運転スイッチと、暖房器本体近傍の人の存在及び人の動作状態を検知する人感センサと、前記バーナの運転時間をカウントして所定時間後にバーナの消火を指示する安全タイマ手段と、この安全タイマ手段のカウント時間をリセットして改めて所定時間のカウントを開始を指示するリセットスイッチと、前記安全タイマ手段が所定時間をカウントする一定時間前にリセットスイッチの操作を促す報知を行う報知手段とを備えたものに於いて、前記報知手段が報知を行う一定時間前とこの一定時間前の更に一定時間前との間に、人感センサが人の動作を検知した時には、報知手段にリセットスイッチの操作を促す報知を行わせるリセット促し手段を設けた事を特徴とする暖房器の制御装置。
【発明の詳細な説明】
【技術分野】
【０００１】
この発明は、ファンヒータ等の暖房器の制御装置に関するものである。
【背景技術】
【０００２】
従来よりこの種のものに於いては、締め切った部屋で長時間継続して暖房器を運転すると、室内の酸素濃度が低下して異常燃焼する危険があるために、３時間連続運転で自動的に消火させる安全タイマ手段が備えられているものであり、又３時間で自動消火するのは使用勝手が悪いと言うことで、自動消火前に窓を開けるなどの換気操作をした後に、リセットスイッチを押すことで、運転が継続されると共に、３時間カウントがリセットされるものであった。（特許文献１参照。）
【先行技術文献】
【特許文献】
【０００３】
【特許文献１】特開平３−６３４１７号公報
【発明の概要】
【発明が解決しようとする課題】
【０００４】
ところでこの従来のものでは、リセットスイッチを押さなければ３時間で自動消火するので、所定時間おきにリセットスイッチを操作する作業は面倒であり、換気操作を行った後にリセットスイッチを押し忘れると、室内の換気が行われていても３時間後には運転が停止してしまい、使用者には使用勝手の悪いものであった。
【課題を解決するための手段】
【０００５】
この発明は上記課題を解決するために、特にその構成を、バーナの運転と停止を指示する運転スイッチと、暖房器本体近傍の人の存在及び人の動作状態を検知する人感センサと、前記バーナの運転時間をカウントして所定時間後にバーナの消火を指示する安全タイマ手段と、この安全タイマ手段のカウント時間をリセットして改めて所定時間のカウントを開始を指示するリセットスイッチと、前記安全タイマ手段が所定時間をカウントする一定時間前にリセットスイッチの操作を促す報知を行う報知手段とを備えたものに於いて、前記報知手段が報知を行う一定時間前とこの一定時間前の更に一定時間前との間に、人感センサが人の動作を検知した時には、報知手段にリセットスイッチの操作を促す報知を行わせるリセット促し手段を設けたものである。
【発明の効果】
【０００６】
以上のようにこの発明によれば、報知時間近くで人が動き始めたことを検知することにより、ついでにリセットスイッチを操作するように促す報知を行うので、使用者は何かのついでにリセットスイッチを操作して、容易に安全タイマ手段をリセットすることが出来るものであり、わざわざリセットスイッチを操作するためだけに動く必要がなく、極めて使用勝手が良く、又人の動き始めに報知されることで、忘れていたリセットスイッチの操作を思い出すことが出来、確実にリセットすることが出来るものである。
【図面の簡単な説明】
【０００７】
【図１】この発明の一実施例を付した暖房器を示す断面図。
【図２】同制御装置のブロック図。
【図３】同リセット促し手段のフローチャート。
【発明を実施するための形態】
【０００８】
次にこの発明に係る発明の一実施形態を図面に基づいて説明する。
１は屋内に設置される暖房器本体で、この暖房器本体１内部に燃焼を行うバーナ２と、この暖房器の作動を制御するマイコンを主体として構成された制御装置３と、暖房器本体１背面開口部の対流用送風機４と、暖房器本体１前面の温風吹出口５と、暖房器本体１前面側上部の操作部６とを備えているもので、バーナ２での燃焼排気ガスを対流用送風機４により温風吹出口５から室内に吹き出すことで暖房を行うものである。
【０００９】
前記バーナ２は、複数の炎孔を有したバーナヘッド７の下部に気化ヒータ８を有した気化器９を備えて構成され、気化ヒータ８によって加熱された気化器９内に油受け皿１０から容積型の電磁ポンプ１１の駆動で送油ノズル１２を通じて液体燃料を供給し、この液体燃料が気化した気化ガスと燃焼用送風機１３から送風路１４を通じて供給される燃焼用空気との混合ガスを前記バーナヘッド７の炎孔で燃焼させ、また燃焼中は前記気化器９の上端に複数の炎孔に対向する如く備えた環状の熱回収リング１５によって炎から熱回収を行い気化ヒータ８の通電を低減しているもので、ターンダウン比が広く静かな気化燃焼を行うものである。
【００１０】
前記制御装置３は、運転の開始／停止を指示する運転スイッチ１６や、室温上昇スイッチ１７と室温下降スイッチ１８とにより構成され所望の室温を設定する室温設定手段１９や、前記運転スイッチ１６の運転開始指示でバーナ２が燃焼して暖房が開始されると共に、自動消火時間の所定時間ここでは３時間のカウントを安全タイマ手段２０が開始し、そしてこの安全タイマ手段２０は自動消火時間の一定時間前ここでは１５分前に達することで報知手段２１ここではピーと言う報知音を発生させ、自動消火時間が迫っていることを報知させるものである。
【００１１】
２２は操作部６に設けられたリセットスイッチで、押圧されることで前記制御装置３内の安全タイマ手段２０のカウントをリセットし、再び１からカウントをさせるものであり、この自動消火時間のリセットは、運転スイッチ１６の運転開始指示によるカウント開始からいつでも受け付けており、どのタイミングで押圧されても安全タイマ手段２０のリセットは行われるものである。
【００１２】
２３は暖房器本体１前面に設けられた人感センサで、人が動いたことを検知して制御装置３内のリセット促し手段２４に信号を出力するものであり、該リセット促し手段２４はこの信号受けて、安全タイマ手段２０のカウントが報知音を発生させる一定時間前（１５分前）とこの一定時間前の更に一定時間前（更に１５分前）との間の場合には、報知音を発生させて、身体を動かしたついでにリセットスイッチ２２を押すことを促すもので、リセットスイッチ２２を押すだけのために人が動くと言う無駄をなくすものである。
【００１３】
２５は前記操作部６に設けられた表示部で、室温や設定温度、現在時刻等を表示する表示するものである。
２６は前記気化ヒータ８で加熱される気化器９の温度を検知する気化温度センサで、前記制御装置３はこの気化温度センサ２１の検知温度が所定の上限温度になると前記気化ヒータ８をオフし、また所定の下限温度になると前記気化ヒータ８をオンして気化器９の温度を液体燃料を良好に気化できる温度範囲内に保持する。
【００１４】
また、前記制御装置３は、運転スイッチ１６の運転指令により、前記気化温度センサ２６の検知温度を監視して前記気化器９を液体燃料を気化可能な温度まで気化ヒータ８により加熱し、気化器９の温度を燃焼に適する温度まで上昇させると前記電磁ポンプ１１及び燃焼用送風機１３を駆動開始し、点火装置２７により混合ガスに点火して燃焼を開始させ、フレームロッドによる燃焼センサ２８により炎を検知し、暖房器本体１背面の対流用送風機４の近傍に設けられた室温センサ２９の検知室温と前記室温設定手段１９で設定された設定室温との偏差に応じて、前記電磁ポンプ１１及び燃焼用送風機１３を制御して燃焼火力を可変して前記室温設定手段１９で設定された室温になるように制御する。
【００１５】
次にこの一実施形態の作動について説明する。
今運転スイッチ１６を押圧すると、気化ヒータ８が通電され気化器９を加熱し、この気化器９が気化可能の所定温度に達したことを気化温度センサ２６が検知すると、制御装置３が電磁ポンプ１１及び燃焼用送風機１３、点火装置２７を駆動させ、バーナ２で点火燃焼させ良好な気化燃焼が行われるものであり、又これと同時に対流用送風機４も駆動することで、暖房器本体１の前面の温風吹出口５から温風が室内に放出され良好な暖房が行われるものである。
【００１６】
次にリセット促し手段２４の作動について、図３のフローチャートに従って説明すれば、前記運転スイッチ１６の押圧で（ステップＳ１）、ＹＥＳでステップＳ２に進み制御装置３の安全タイマ手段２０が所定時間（３時間）のカウントを開始し、暖房運転が継続してこの所定時間の一定時間前の更に一定時間前（３時間−１５分−１５分）である２時間３０分のカウントをしたかを判断し（ステップＳ３）、ＹＥＳでステップＳ４に進んでこの１５分間に人感センサ２３が人の動きを検知したかを判断し、ＹＥＳでステップＳ５に進み一定時間を待つことなく報知手段２１を作動させて報知を行わせ、そしてステップＳ６でリセットスイッチ２２の押圧を待ち、ＹＥＳでステップＳ７に進み安全タイマ手段２０をリセットし、まだ暖房が継続する場合はそのままステップＳ２に戻るものであり、又ステップＳ４で人に動きがなく人感センサ２３が検知しなかった時は、ＮＯでステップＳ８に進み所定時間の一定時間前（３時間−１５分）の２時間４５分カウントしたかを判断し、ＹＥＳでステップＳ５に続き報知手段２１を作動させて報知してリセットスイッチ２２の操作を待つものであり、更にステップＳ６でリセットスイッチ２２の押圧がなかったＮＯの場合も、ステップＳ８に進こととなり所定時間の一定時間前を待つことになるものである。
【００１７】
このように人感センサ２３を利用したリセット促し手段２４を備えたことで、人の動きを検知して何かのついでにリセットスイッチ２２を押してもらうように、所定時間の一定時間前と同じ報知を行うので、何の抵抗もなくリセット操作が受け入れ易く、又リセットを忘れている場合は、直ぐに思い出してリセット操作出来、しかもわざわざリセット操作するだけのために動く必要がなく、極めて使用勝手が良いものである。
【００１８】
次に前記リセット促し手段２４を作動させない選択スイッチ３０を押圧すると、制御装置３を介してリセット促し手段２４に取り消し信号が出力されて、人感センサ２３は作動せず、人の動きを検知しての報知がなくなり、通常の所定時間の一定時間前の報知と、所定時間による自動消火か、リセットスイッチ２２による消火時間のリセットとなり、使用者自身が自分に合ったものを自由に選択して使用出来るものである。
【符号の説明】
【００１９】
１  暖房器本体
２  バーナ
１６  運転スイッチ
２０  安全タイマ手段
２１  報知手段
２２  リセットスイッチ
２３  人感センサ
２４  リセット促し手段
【図１】
2012251684.tif 000003
【図２】
2012251684.tif 000004
【図３】
2012251684.tif 000005